(57)【特許請求の範囲】
【請求項１】
一対の基板に液晶が挟持されてなる反射型の表示パネルに光を照射する照明装置であって、
発光層が一対の基板間に挟み込まれて形成される発光部を有する照明手段と、
前記発光部の視認側において、前記発光部を覆うように配置される縮小レンズと
を備えることを特徴とする照明装置。
【請求項２】
前記照明手段は、複数の発光部を有し、
複数の縮小レンズが、前記複数の発光部の視認側において、前記複数の発光部を夫々覆うように配置されることを特徴とする請求項１に記載の照明装置。
【請求項３】
前記縮小レンズは、マイクロレンズアレイであることを特徴とする請求項１又は２に記載の照明装置。
【請求項４】
前記発光部の視認側に配置され、外光又は内光を遮る遮光部を更に備え、
前記縮小レンズは、前記遮光部の視認側において、前記遮光部を覆うように配置されることを特徴とする請求項１から３のうちのいずれか一項に記載の照明装置。
【請求項５】
請求項１乃至４のうちいずれか一項に記載の照明装置と、
反射型の液晶パネルと
を備えたことを特徴とする電気光学装置。
【請求項６】
請求項１乃至４のうちいずれか一項に記載の照明装置と、
電子ペーパーと
を備えたことを特徴とする電気光学装置。
【発明の詳細な説明】
【技術分野】
【０００１】
本発明は、反射型の表示パネルに光を照射する照明装置、及び電気光学装置の技術分野に関する。
【背景技術】
【０００２】
従来、液晶装置を利用したディスプレイはバックライトを光源として備えた透過型液晶装置が主流であった。しかし、主として携帯用電子機器に用いられる液晶装置においては、低消費電力化を図る必要があり、バックライトを必要とする透過型液晶装置では限界があるために反射型液晶装置の開発が活発に行われている。
【０００３】
この反射型液晶装置は外部からの自然光等を光源とするため、大幅な低消費電力化を図ることができるが、一方、暗い場所では鮮明な表示が得られないために、最近ではフロントライトを備えた反射型液晶装置が発表されている。
【０００４】
このフロントライトを備えた反射型液晶装置は、使用場所の明るさに応じてフロントライトをオン又はオフすればよく、かかる反射型液晶装置を備えた携帯用電子機器の低消費電力化を図ることができ、電池を無駄に減らさないため長時間駆動が可能となっている。
【先行技術文献】
【特許文献】
【０００５】
【特許文献１】特開２０００−２６７０９７号公報
【発明の概要】
【発明が解決しようとする課題】
【０００６】
しかしながら、フロントライトを備えた反射型の液晶装置の場合、視認側、即ち、観察者側から入射される光、所謂、外光が発光部の電極の金属部で反射したり、発光部が視認側へ射出した光、所謂、内光がこの金属部で反射したりして、発光部の位置に所謂、ドットが発生し、表示の視認性を低下させるという問題点が生じる。
【０００７】
本発明は、例えば上述した従来の問題点に鑑みなされたものであり、視認性をより向上させた照明装置、及び電気光学装置を提供することを課題とする。
【課題を解決するための手段】
【０００８】
上記課題を解決するために、本発明に係る照明装置は、一対の基板に液晶が挟持されてなる反射型の液晶パネルに光を照射する照明装置であって、発光層が一対の基板間に挟み込まれて形成される発光部を有する照明手段と、前記発光部の視認側において、前記発光部を覆うように配置される縮小レンズとを備える。
【０００９】
本発明の照明装置によれば、縮小レンズを、発光部の視認側において、発光部を覆うように配置する。ここに、本発明に係る視認側とは、光を観察する観察者の側を意味する。これにより、発光部の陰極電極の金属部の位置に生じるドットが、観察者に視認される度合いを効果的に低減することができ、表示の視認性を向上することができる。
【００１０】
これにより、ドットを観察者に視認されないように発光部の形状を微細加工する必要性を効果的に低減できるので、発光部を製造する際の歩留りの向上や発光部の発光材料の長寿命化を実現できる。特に、発光部として有機エレクトロルミネッセンス（Organic Electro-Luminescence：OEL）を、フロントライト方式の液晶装置に用いる場合、発光部の大きさを微細加工により、小さくすることは技術的に難しいため、縮小レンズを追加することによってドットを観察者に見えづらくすることは、実践上、大変有益である。
【００１１】
本発明の照明装置の一の態様では、前記照明手段は、複数の発光部を有し、複数の縮小レンズが、前記複数の発光部の視認側において、前記複数の発光部を夫々覆うように配置される。
この態様によれば、複数の発光部の陰極電極の金属部の位置にて複数のドットが、観察者に視認される度合いを効果的に低減することができる。
【００１２】
本発明の照明装置の他の態様では、前記縮小レンズは、マイクロレンズアレイである。
この態様によれば、簡便に縮小レンズを実現できる。
【００１３】
本発明の照明装置の他の態様では、前記発光部の視認側に配置され、外光又は内光を遮る遮光部を更に備え、前記縮小レンズは、前記遮光部の視認側において、前記遮光部を覆うように配置される。
この態様によれば、遮光部は、発光部の視認側に配置され、外光又は内光を遮る。ここに、本発明に係る「遮る」とは、光が透過する度合いを低下させることを意味する。また、本発明に係る外光とは、例えば自然光等の照明装置の外から照明装置に入射する光を意味する。本発明に係る内光とは、発光部が発光する光であって、照明装置の内から射出する光を意味する。縮小レンズは、遮光部の視認側において、遮光部を覆うように配置される。これにより、外光に起因して生ずるドットが、観察者に視認される度合いをより効果的に低減することができる。
【００１４】
本発明に係る電気光学装置は、上述した照明装置と、反射型の液晶パネルとを備えることを特徴とする。また、電気光学装置は、上述した照明装置と、電子ペーパーとを備えるもにであってもよい。そのような電気光学装置としては、ディスプレイ、コンピュータ、携帯電話、携帯情報端末などが該当する。
本発明の作用及び他の利得は次に説明する発明を実施するための形態から明らかにされる。
【図面の簡単な説明】
【００１５】
【図１】第１実施形態に係る電気光学装置を視認側から見た構成を示した平面図（図１（ａ））、及び、線Ｈ−Ｈ’での断面図（図１（ｂ））である。
【図２】第１実施形態に係る発光部の構成を示した断面図である。
【図３】第１実施形態に係る発光部の電極の配置を示した平面図である。
【図４】第１実施形態に係る光の向きに着目して電気光学装置の断面図である。
【図５】第１実施形態に係る電気光学装置を視認側から見た平面図（図５（ａ））、及び、比較例に係る電気光学装置を視認側から見た平面図（図５（ｂ））である。
【図６】第２実施形態に係る発光部の構成を示した断面図である。
【図７】本実施形態に係る電気光学装置を適用した電子機器の一例たるパーソナルコンピュータの構成を示す斜視図である。
【図８】本実施形態に係る電気光学装置を適用した電子機器の一例たる携帯電話の構成を示す斜視図である。
【図９】本実施形態に係る電気光学装置を適用した電子機器の一例たる携帯情報端末の構成を示す斜視図である。
【発明を実施するための形態】
【００１６】
以下、本発明の好適な実施形態について図面を参照して説明する。
（第１実施形態）
（基本構成）
先ず、図１を参照して、第１実施形態に係る照明装置及び反射型の液晶パネルを備えた電気光学装置１の構成について説明する。ここに、図１は、本実施形態に係る電気光学装置１を視認側から見た構成を示した平面図（図１（ａ））、及び線Ｈ−Ｈ’での断面図（図１（ｂ））である。即ち、図１（ａ）は平面図で、図１（ｂ）は（ａ）のＨ−Ｈ’における断面図である。尚、図１は、一枚偏光板方式の液晶表示方式とＴＦＴによるアクティブマトリクス駆動を組み合わせた場合の液晶装置を示す。
【００１７】
（液晶パネル）
図１（ｂ）に示されるように、下基板２１０Ａの上面にはＡｌ（アルミニウム）等からなる反射板を兼ねた略正方形状の画素電極２２０Ａが縦横にマトリクス状に配置され、該画素電極２２０Ａの形成されていない格子状の部分には、走査線とデータ線（図示しない）が縦横に互いに交差するように配置される。また、図示しないが、走査線とデータ線との交点付近にはそれぞれ薄膜トランジスタ（以下、ＴＦＴ：Thin Film Transistorという）が形成されており、各ＴＦＴのドレイン電極に、前記画素電極２２０Ａが接続されている。またＴＦＴのソース電極には前記データ線が、ゲート電極には前記走査線が接続されており、各ＴＦＴにより画素電極に印加される電圧が制御されるように構成されている。
【００１８】
上基板１６０は透明なガラス基板で、該上基板１６０の液晶側の面には、カラーフィルター１７０が形成され、このカラーフィルター１７０の上にＩＴＯからなる透明電極１８０が表示領域全体に形成されている。
尚、この場合、画素電極は反射板の機能を兼ねるが、そこに使われる金属は前記Ａｌの他に、Ｎｉ（ニッケル）やＣｒ（クロム）、またはそれらの合金等の反射率が高い金属であれば良い。また、画素電極とは別に画素電極表面にＡｌ，Ｎｉ，Ｃｒ等の金属からなる反射板を設けることもできる。さらに、画素電極をＩＴＯ等からなる透明電極にし、下基板を透明なガラス基板にした上で、１枚の反射板を下基板２１０Ａの裏側（図１（ｂ）では下側）に設けることもできる。また、モノクロ表示の場合は、カラーフィルター１７０は不要となる。
【００１９】
それぞれの基板には、上述したようなカラーフィルターや電極を形成した後で、ポリイミドによる配向膜が形成され、所定の方向に配向処理がなされる。その後、それぞれ電極を形成した面を対向させて所定のギャップを保ってシール材２００により貼り合せ、下基板２１０Ａと上基板１６０との間に液晶１９０Ａを挟持させる。ここで液晶材料およびその配向方向としては特開平３−２２３７１５号公報にあるような、偏光板を一枚だけ使う条件のものを選んでよい。
さらに、上基板１６０の外側の面に位相差板１５０と偏光板１４０とが形成されている。なお、位相差板１５０は必要に応じて複数枚設けても良く、また位相差板を設けない構成でも構わない。表示特性により位相差の異なる位相差板や、視野角を補償するための位相差板などを配置することも可能である。以上のようにして、反射型の液晶パネル３２０は構成される。
【００２０】
（照明装置）
次に、図１を参照して、照明装置について説明する。
図１（ｂ）に示されるように、本実施形態においては、厚さ０．２ｍｍのガラス製の支持板１２０が液晶パネル上方に配置され、この支持板１２０の内面（図１（ｂ）では下面）には有機ＥＬによって形成されている発光部１００が形成されている。この発光部１００は液晶パネルの各画素間にあたる部分、すなわち、アクティブマトリクス型の場合、液晶パネルを上面から見て、データ線および走査線に重なる部分に格子状に形成されて照明装置３１０を構成する。好ましくは、液晶パネルを視認した際、画素電極と平面的に重ならないように発光部を形成する。このように構成することによって、表示領域を狭めることなく、反射領域を確保することができるので明るい反射型の液晶装置を得ることができる。
【００２１】
上述のように構成された照明装置３１０は、発光部１００を形成した面と偏光板１４０を対向させて接着剤１３０で貼り合せ、支持板１２０と偏光板１４０とで挟持された部分に光透過性部材１１０が形成されている。この光透過性部材１１０は、支持板１２０や偏光板１４０の表面での外光の反射を防ぐ目的と、後に説明する有機ＥＬで形成されている発光部１００に水分が吸着するなどして発光寿命が損なわれるのを防ぐ目的で用いられる。よって材料としては、屈折率が支持板を形成するガラス基板と同じ約１．５であり、かつ水分を透過しない材料が望ましい。例えばエポキシ系の樹脂などを用いることが出来る。
【００２２】
以下の説明では、照明装置３１０から見て液晶パネル３２０の方向を「装置側」と称し、その反対側、すなわち、利用者が電気光学装置１を視認する側を「視認側」と称する。
本実施形態に係る電気光学装置は、マイクロレンズアレイ４００を備えて構成される。マイクロレンズアレイ４００は、発光部１００の視認側に、発光部１００を覆うように配置され、所謂、縮小レンズとして機能する。マイクロレンズアレイ４００は凹凸を有するプラスチックの材質で構成されてよい。図１（ａ）に示されるように、支持板１２０の内側には、複数のマイクロレンズアレイ４００が複数の発光部１００に夫々対応して、マトリックス状に配置されることになる。尚、この発光部１００の詳細構成については後述される。
尚、液晶パネルが対角２インチ以下程度の小型の場合や、または照明装置３１０と液晶パネル３２０の間に強い接着強度が必要ないときは、接着剤１３０を使わずに、光透過性部材１１０により、液晶パネル３２０に照明装置３１０を固定することも可能である。
【００２３】
（発光部の詳細構成）
次に、図２を参照して、発光部１００の詳細構成について説明する。ここに、図２は、本実施形態に係る発光部１００の構成を示した断面図である。尚、図２には、発光部１００の具体的な構造例が示されている。また、図２中の点線の矢印は電気の流れを示す。
【００２４】
図２に示されるように、本実施形態に係る照明装置３１０は、支持板１２０の下側（即ち、装置側）に、マイクロレンズアレイ４００が配置され、そのマイクロレンズアレイ４００と、偏光板１４０との間に、発光部１００が配置される。
発光部１００は、発光材料である有機ＥＬ層１０１、陰極側の電極である第１電極１０２、陽極側の電極である第２電極１０４、有機ＥＬ層１０１と第１電極１０２と第２電極１０４とを密封する封止部１０５、ガラス１０６、及び第１電極１０２と第２電極１０４とを区分けする絶縁性透明材料である隔壁１０７を備えて構成されている。第１電極１０２は、金属部１０２ａと、透明部１０２ｂとを備える。
発光材料である有機ＥＬ層１０１としては、有機発光ダイオード（OLED：Organic light-emitting diode）を挙げることができる。
【００２５】
第一電極の透明部１０２ｂと第２電極１０４とは、ガラス１０６の視認側の面上に形成され、ＩＴＯ（Indium Tin Oxide）等の透明電動材料より形成されている。
図３に、ガラス１０６の視認側の面における、第２電極１０４と、第１電極の透明部１０２ｂとの配置を示す。  図３に示す通り、第２電極１０４と、透明部１０２ｂとは、櫛歯状の形状をしており、互いに対向する位置に配置される。第２電極１０４は、主電極１０４１と、互いに平行に配置された複数の直線状の個別電極１０４２とから構成される。個別電極１０４２の一方の端点は、主電極１０４１と接続されている。同様に、透明部１０２ｂは、主電極１０２１と、互いに平行に配置された複数の直線状の個別電極１０２２とから構成される。個別電極１０２２の一方の端点は、主電極１０２１と接続されている。
第２電極の個別電極１０４２と、透明部の個別電極１０２２とは、交互に配置され、第２電極の主電極１０４１と、透明部の主電極１０２１とは、個別電極１０４１、１０４２を介して逆側に配置される。
【００２６】
有機ＥＬ層１０１は、厚み１５００オングストロームから１００００オングストロームで第２電極１０４上に形成される。  Ａｌ−Ｌｉ合金からなる第１電極の金属部１０２ａは、厚み３００オングストロームから２０００オングストロームで有機ＥＬ層１０１を挟むように配置され、第１電極の透明部１０２ｂと電気的に接続されている。ここで、Ａｌ−Ｌｉ合金電極である第１電極の金属部１０２ａは、有機ＥＬ層１０１から等方的に発せられる光を、すべて液晶パネル３２０の方向へ向けるための反射板の機能を兼ねている。このように金属部１０２ａに遮光機能を持たせることによって、有機ＥＬ層１０１で発光した光が視認側に直接照射されることを防止できる。
【００２７】
第１電極の金属部１０２ａは、それぞれ酸化ＣｒやＡｌ−Ｌｉ合金をマスク蒸着方式などにより製膜し、フォトリソ工程によってパターンニングすることにより形成される。また実際に発光に寄与する有機ＥＬ層１０１は、マスク蒸着方式や、液滴化した有機ＥＬ材料を微少ノズルから射出してパターン形成するインクジェット方式によって、第１電極上に形成される。
ＩＴＯからなる第２電極１０４と、第１電極の透明部１０２ｂとはマスク蒸着方式によりパターニングして形成することができるし、フォトリソ工程で形成することもできる。第１電極１０２と第２電極１０４との間に所定の電圧を印加することでその間に挟まれている有機ＥＬ層１０１が発光する。有機ＥＬの場合、必要な照度を得るために必要な電圧の大きさは直流で２〜１０Ｖ程度である。
【００２８】
高分子材料など液滴化が可能な有機材料を有機ＥＬ層として用いる場合、インクジェット方式により有機ＥＬ層を形成するようにすることが出来る。これによれば格子状のパターンや複数の異なる発光色を出射する発光部を形成する場合でも発光部１００を比較的容易に形成できる。例えば発光部を格子状のパターンに形成する場合、マスク蒸着方式では一度の蒸着でパターンを形成することが出来ないが、インクジェット方式による有機ＥＬ材料の直接描画によれば、容易に複雑なパターンを形成することが出来る。また、赤、緑または青色を発色する発光部を選択形成する場合でも、インクジェット方式の塗布によれば、容易に場所毎に発光色が異なる発光部を形成することが出来る。このとき例えば、赤色発光材料にはシアノポリフェニレンビニレン、緑色発光材料にはポリフェニレンビニレン、青色発光材料にはポリフェニレンビニレンおよびアルキルフェニレンを使用して、各有機ＥＬ層１０１を形成することができる。
【００２９】
複数の発光材料を用いた場合にも、第１電極や第２電極は共通に用いることができるので、有機ＥＬ層以外の形成工程は単色の場合と変わらない。
以上、本実施形態の液晶装置の構成について説明したが、以下に本実施形態の液晶装置における照明装置の使用方法について説明する。
【００３０】
（照明装置の使用方法）
本実施形態の液晶装置は、通常は照明装置を用いずに、液晶パネルのみを駆動して自然光などの外光を利用して表示を視認させ、周囲が暗くなり充分な明るさで表示を得られない場合、照明装置を点灯して使用するものである。
上述した図２において照明装置のスイッチがオンされると発光部１００を構成する第１電極１０２と第２電極１０４との間に電圧が印加され、発光材料である有機ＥＬ層１０１から色光が出射される。ここで、有機ＥＬ層１０１からは等方的に光が出射されるが観察者側に形成される第１電極の金属部１０２ａは反射板としても機能するため、第１電極側（即ち、視認側）に出射された光はそこで反射され、その結果、ほとんどの光は略下方側（即ち、装置側）へ出射される。
【００３１】
ここで図１（ｂ）のように、照明装置３１０が反射型液晶パネル３２０上に取り付けられているとき、液晶が光を透過する状態（即ち、白表示）であれば出射された光は液晶パネル内に入射、反射板を兼ねた画素電極２２０Ａで反射し、液晶パネルおよび照明装置３１０を形成する透明な支持板１２０を通過して観察者に届く。また液晶が遮光状態（黒表示）であれば、照明装置３１０から出射された光は、液晶パネルにより遮られ、観察者には届かなくなる。
【００３２】
（本実施形態に係る作用と効果との検討）
次に、図４及び図５を参照して、本実施形態に係る作用と効果について検討する。ここに、図４は、本実施形態に係る光の向きに着目して電気光学装置の断面図である。図５は、本実施形態に係る電気光学装置を視認側から見た平面図（図５（ａ））、及び、比較例に係る電気光学装置を視認側から見た平面図（図５（ｂ））である。
【００３３】
図４に加えて、上述した図２（ｂ）で示されるように、照明装置３１０のスイッチがオンされると発光部１００を構成する第１電極１０２と第２電極１０４との間に電圧が印加され、発光材料である有機ＥＬ層１０１から光Ｌｄが出射される。ここで、有機ＥＬ層１０１からは等方的に光が出射されるが観察者側に形成される第１電極の金属部１０２ａは反射板としても機能するため、第１電極側（即ち、視認側）に出射された光Ｌｄはそこで反射され、その結果、ほとんどの光Ｌｄは略下方側（即ち、装置側）へ出射される。
【００３４】
照明装置３１０が反射型液晶パネル３２０上に取り付けられている場合（以下、適宜「フロントライト方式の液晶装置の場合」と称す）、液晶が光を透過する状態（即ち、白表示）であれば出射された光Ｌｄは液晶パネル内に入射し、反射板を兼ねた画素電極２２０Ａで反射し、光Ｌｕとして、透明な支持板１２０を通過して観察者に届く。また液晶が遮光状態（即ち、黒表示）であれば、照明装置３１０から出射された光Ｌｄは、液晶パネル３２０により遮られ、観察者には届かなくなる。
【００３５】
一方、支持板１２０の側から入射する光Ｌｎは、第１電極の金属部１０２ａにより反射される。これにより、コントラストの低下や、視認性の低下等の問題が発生する。
一般的なフロントライトを備えた反射型の液晶装置の場合、視認側、即ち、観察者側から入射される光、所謂、外光が発光部１００の第１電極の金属部１０２ａで反射するので、所謂ドット部（図４中のＤｔを参照）が観察者に視認される。
【００３６】
例えば、図５（ｂ）の比較例に示されるように、仮に、縮小レンズとして機能するマイクロレンズアレイ４００を、ドット部Ｄｔを覆うように配置しない場合、フロントライト方式の液晶装置の発光部が有する第１電極の金属部１０２ａが、ドット部Ｄｔとして観察者に視認される。
【００３７】
これに対して、本実施形態によれば、図４に示されるように、縮小レンズとして機能するマイクロレンズアレイ４００を、フロントライト方式の液晶装置の発光部１００が有する第１電極の金属部１０２ａを覆うように配置する。これにより、図５（ａ）に示されるように、観察者から見ると、ドット部Ｄｔの面積が小さく見える。
【００３８】
マイクロレンズアレイ４００を用いることなくドット部Ｄｔの面積を縮小するためには、発光部１００の形状を微細加工する必要がある。しかし、本実施形態では、マイクロレンズアレイ４００によりドット部Ｄｔの面積を縮小して見せることができるので、発光部を製造する際の歩留りの向上や発光材料である有機ＥＬ層１０１の長寿命化を実現できる。特に、発光部の光源として有機エレクトロルミネッセンス（Organic Electro-Luminescence：OEL）を、フロントライト方式の液晶装置に用いる場合、発光部の大きさを微細加工により、小さくすることは技術的に難しいため、マイクロレンズアレイ４００の部品を追加することによって、ドット部Ｄｔを観察者に見えづらくすることは、実践上、大変有益である。
【００３９】
（第２実施形態）
（詳細構成）
次に、図６を参照して、第２実施形態に係る照明装置の詳細構成について説明する。ここに、図６は、第２実施形態に係る照明装置の詳細構成を示した断面図である。尚、図６中の点線の矢印は電気の流れを示す。また、第２実施形態の構成要素のうち、上述した第１実施形態と概ね同様の構成要素には、同一の符号番号を付し、それらの説明は適宜省略する。
【００４０】
図６に示されるように、第２実施形態に係る照明装置３１０は、支持板１２０の下側（即ち、装置側）に、マイクロレンズアレイ４００を備えて構成され、そのマイクロレンズアレイ４００の下側（即ち、装置側）に、光を遮る遮光材料としての低反射層１０３を備えて構成される。尚、低反射層１０３によって、本発明に係る「遮光部」の一具体例が構成されている。この低反射層１０３と、偏光板１４０との間に、発光部１００が備えて構成される。この低反射層１０３は支持板１２０の側から入射する光が第１電極１０２で反射することによりコントラストが低下するのを防止する目的で形成される。
【００４１】
特に、マイクロレンズアレイ４００は、低反射層１０３の視認側において、低反射層１０３を覆うように配置される。これにより、外光に起因して生ずるドット部Ｄｔが、観察者に視認される度合いを、より効果的に低減することができる。
【００４２】
以上、本発明を実施形態に基づき具体的に説明したが、本発明は第１及び第２実施形態に限定されるものではない。例えば実施形態は偏光板を一枚のみを配置した液晶装置について説明したが、液晶パネルを挟持するように２枚の偏光板を配置し、裏面側の偏光板の外側に反射板を設けた液晶装置とすることも可能である。また、偏光板を用いない構成の液晶パネルでも構成可能である。すなわち、液晶と高分子とからなる複合層を一対の基板間に挟持した液晶パネルであれば偏光板が不要であり、光の透過状態と散乱状態とにより表示を行うことが可能である。また、２色性色素を用いたＧＨ方式（ゲストホスト方式）の反射型の液晶表示装置に用いることも可能である。
また、上述した実施形態では、表示パネルの一例として反射型の液晶パネルを取り上げて説明したが、本発明はこれに限定されるものではなく、液晶パネルの替わりに電子ペーパーを用いてもよい。電子ペーパーは、電極間に帯電粒子を分散媒に分散させて構成される。帯電粒子は、例えば、黒粒子が正負の一方に帯電し、白粒子が正負の他方に帯電する二粒子系であってもよい。あるいは、一種の帯電粒子を用いる一粒子系であってもよい。一粒子系は、暗表示用（例えば黒）の分散媒に明表示用（例えば白）の帯電粒子を分散させるか、明表示用（例えば白）の分散媒に暗表示用（例えば黒）の帯電粒子を分散させればよい。さらに、二種類の帯電粒子の他に無帯電粒子を含む三粒子系であってもよい。また、帯電粒子はマイクロカプセル型であってもよいし、隔壁型であってもよい。
【００４３】
（電子機器）
次に、上述した実施形態および変形例に係る電気光学装置１を適用した電子機器について説明する。図７に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。
【００４４】
図８に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
【００４５】
図９に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
【００４６】
なお、電気光学装置１が適用される電子機器としては、図７〜図９に示すものの他、電子ペーパー、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
本発明は、上述した実施形態に限られるものではなく、請求の範囲及び明細書全体から読み取れる発明の要旨或いは思想に反しない範囲で適宜変更可能であり、そのような変更を伴う照明装置、及び電気光学装置もまた本発明の技術的範囲に含まれるものである。
【符号の説明】
【００４７】
１…電気光学装置、１００…発光部、１０１…有機ＥＬ層、１０２…第１電極、１０２ａ…金属部、１０２ｂ…透明部、１０３…低反射層、１０４…透明電極（第２電極）、１１０…光透過性部材、１２０…支持板、１３０…接着材、１４０…偏光板、１５０…位相差板、１６０…上基板（透明ガラス基板）、１７０…カラーフィルター、１８０…透明電極、１９０Ａ…液晶、２００…シール材、２１０Ａ…下基板、２１０Ｂ…下基板（透明ガラス基板）、２２０Ａ…画素電極（反射電極）、４００…マイクロレンズアレイ。
【図１】
0005494290.tif 000002
【図２】
0005494290.tif 000003
【図３】
0005494290.tif 000004
【図４】
0005494290.tif 000005
【図５】
0005494290.tif 000006
【図６】
0005494290.tif 000007
【図７】
0005494290.tif 000008
【図８】
0005494290.tif 000009
【図９】
0005494290.tif 000010